(57)【要約】 【課題】  実装面積が小さくかつ小さな回路規模であって、しかもユーザがコスト的なデメリットを伴うことなく所望地域の時刻コードを含む電波受信できるようにする。【解決手段】  アンテナを交換可能とし、交換により新たに装着されたアンテナの種別をＲＡＭに記憶させ（Ｓ６）、アンテナの種別に応じて受信回路の受信周波数を切り替える（Ｓ７）。受信が成功したか否かを判断し（Ｓ９）、受信が成功した場合には、受信した長波標準電波に含まれているタイムコードに基づき、現在時刻を修正する（Ｓ１３）。しかし、受信が不成功であった場合には（Ｓ９；ＮＯ）、アンテナの交換直後であるか否かを判断する（Ｓ１０）。交換直後であるならば、交換前に装着されていた地域用のアンテナと交換後に装着された地域用のアンテナとの地域間で時差があるか否かを判断し（Ｓ１１）、時差がある場合には、時計計数回路の現在時刻を当該時差分修正する（Ｓ１２）。【選択図】    図４
2005181174.tif 000002
【特許請求の範囲】
【請求項１】
時刻を計数する時刻計数手段と、
夫々時刻コードを含む複数の電波を受信可能な受信手段と、
アンテナが着脱自在に取り付けられるアンテナ取付部と、
このアンテナ取付部に取り付けられたアンテナを識別する識別手段と、
この識別手段の識別結果に対応した電波を受信するように、前記受信手段を制御する受信制御手段と、
前記受信手段により受信した電波に含まれる前記時刻コードに基づいて、前記計時手段の時刻情報を修正する時刻修正手段と
を備えることを特徴とする時刻データ受信装置。
【請求項２】
前記アンテナは使用地域が限定されたものであって、
前記アンテナ取付部に、変更前に取り付けられていたアンテナの使用地域と、変更後に取り付けられたアンテナの使用地域とに時差があるか否かを判別する判別手段と、
この判別手段により時差があると判別された場合、変更されたアンテナによる前記電波の受信が不成功であった場合に、前記時差に基づき前記計時手段の時刻情報を修正する時差修正手段と
を更に備えることを特徴とする請求項１記載の時刻データ受信装置。
【請求項３】
前記アンテナは、アンテナケースに収容されてユニット化され、
前記アンテナケースには当該アンテナの使用地域が表記されていることを特徴とする請求項１又は２記載の時刻データ受信装置。
【請求項４】
前記アンテナはその種別毎に長さの異なる端子を有し、
前記識別手段は、前記アンテナ取付部に取り付けられる前記端子の長さの相違に基づき、前記アンテナを識別することを特徴とする請求項１又は２記載の時刻データ受信装置。
【請求項５】
前記アンテナは径の異なる一対の端子を有し、
前記アンテナ取付部は、前記各端子が差し込まれる一対の穴部を有し、
この一対の穴部は差し込まれる前記各端子の径に対応する径を有することを特徴とする請求項１又は２記載の時刻データ受信装置。
【発明の詳細な説明】
【技術分野】
【０００１】
本発明は、電波局から送信される時刻データ（タイムコード）を含む電波を受信して現在時刻を修正する時刻データ受信装置に関する。
【背景技術】
【０００２】
今日においては、各国（例えば、ドイツ、イギリス、スイス、日本等）において、時刻データ即ちタイムコードを含む長波標準電波が送出されている。我が国（日本）では、２つの電波局（福島県及び佐賀県）より、所定のフォーマットのタイムコードで振幅変調した４０ｋＨｚ及び６０ｋＨｚの長波標準電波が送出されている。このようなタイムコードを含む標準電波を受信して、これにより現在時刻データを修正する、いわゆる電波時計が実用化されている。電波時計は、所定時間毎に、内蔵しているアンテナを介して標準電波を受信し、増幅変調してタイムコードを解読することにより現在時刻を修正している。
【０００３】
したがって、我が国における電波時計は周波数の異なる２種類の電波を選択的に受信する機能を備える必要があり、また、周波数の異なるより多数種の長波標準電波が送出している外国においては、周波数の異なる複数種の電波を選択的に受信する機能を備える必要がある。このため、従来においては選局スイッチを設け、選局スイッチにより容量の異なるコンデンサを選択的に切り換えたり、あるいは巻き数の異なるコイルを選択的に切り換えることにより、異なる周波数で異なる長波標準電波送信所から送信されるタイムコード入り長波標準電波の受信を可能としている（例えば、特許文献１参照。）。
【特許文献１】特開２００３−６０８２０号公報（図３、図９）
【発明の開示】
【発明が解決しようとする課題】
【０００４】
しかしながら、タイムコードを含む長波標準電波を送出する電波局は、前述のように世界各国の所定地域に存在し、送信周波数も電波局毎に異なる。したがって、この電波時計を世界各国のいずれの地域でも使用可能なものにしようとすると、容量の異なるコンデンサを多数内蔵し、あるいは巻き数の異なるコイルを多数内蔵してこれらを切り替えることとなる。したがって、容量の異なるコンデンサを多数内蔵し、あるいは巻き数の異なるコイルを多数内蔵することにより回路規模が大きくなってしまったり、実装面積が大きくなってしまい小型化の妨げとなる。
【０００５】
また、ユーザにおいては、必ずしも各国の各地域に行く機会があるとは限らないにも拘わらず、多数のコンデンサや多数の異なる巻き数のコイルが内蔵されている高価な機器を購入しなければならず、ユーザにおいてコスト的なデメリットが生ずる。
【０００６】
本発明は、かかる従来の課題に鑑みてなされたものであり、実装面積が小さくかつ小さな回路規模であって、しかもユーザがコスト的なデメリットを伴うことなく所望地域の時刻コードを含む電波受信することのできる時刻データ受信装置を提供することを目的とする。
【課題を解決するための手段】
【０００７】
前記課題を解決するため請求項１記載の発明に係る時刻データ受信装置にあっては、時刻を計数する時刻計数手段と、夫々時刻コードを含む複数の電波を受信可能な受信手段と、アンテナが着脱自在に取り付けられるアンテナ取付部と、このアンテナ取付部に取り付けられたアンテナを識別する識別手段と、この識別手段の識別結果に対応した電波を受信するように、前記受信手段を制御する受信制御手段と、前記受信手段により受信した電波に含まれる前記時刻コードに基づいて、前記計時手段の時刻情報を修正する時刻修正手段とを備える。
【０００８】
したがって、例えばユーザは自己が在住する地域で時刻コードを含む電波を受信するための第１のアンテナと、自己が行く他の地域で時刻コードを含む電波を受信するための第２のアンテナを購入して予め入手しておく。そして、第１のアンテナをアンテナ取付部に取り付けると、識別手段により取り付けられたアンテナが識別され、受信手段は受信制御手段により、この識別結果に対応した電波を受信するように制御され、受信手段により受信した電波に含まれる時刻コードに基づいて、計時手段の時刻情報が時刻修正手段とにより修正される。また、前記他の地域に赴いた場合には、第１のアンテナを取り外して、第２のアンテナを取り付ければ、同様にして当該地域で受信した電波に含まれる時刻コードに基づいて、計時手段の時刻情報が修正される。したがって、ユーザは自己が必要とする地域のアンテナのみを入手すればよいのであるから、ユーザにコスト的なデメリット与えることなく、所望地域の時刻コードを含む電波を受信して時刻修正を行うことができる。
【０００９】
また、時刻データ受信装置には、容量の異なるコンデンサを多数内蔵したり、巻き数の異なるコイルを多数内蔵する必要はなく、しかも、時刻データ受信装置自体にはアンテナが存在しないことから、実装面積が小さくなるとともに回路規模も小さくなる。
【００１０】
また、請求項２記載の発明に係る時刻データ受信装置にあっては、前記アンテナは使用地域が限定されたものであって、前記アンテナ取付部に、変更前に取り付けられていたアンテナの使用地域と、変更後に取り付けられたアンテナの使用地域とに時差があるか否かを判別する判別手段と、この判別手段により時差があると判別された場合、変更されたアンテナによる前記電波の受信が不成功であった場合に、前記時差に基づき前記計時手段の時刻情報を修正する時差修正手段とを更に備える。
【００１１】
したがって、ユーザがある地域に赴いてアンテナを交換した際に、当該アンテナによる時刻コードを含む電波の受信が不成功であった場合であっても、変更前に取り付けられていたアンテナの使用地域と、変更後に取り付けられたアンテナの使用地域とに時差がある場合には、時差に基づき時計手段の現在時刻が修正される。よって、時刻コードを含む電波の受信が不成功な場合であっても、時差分で修正されることにより、ユーザが現在位置する地域でほぼ正確な現在時刻に修正することができる。
【００１２】
また、請求項３記載の発明に係る時刻データ受信装置にあっては、前記アンテナは、アンテナケースに収容されてユニット化され、前記アンテナケースには当該アンテナの使用地域が表記されている。したがって、ユーザがある地域に赴く際に、ユニット化されているアンテナを容易に携帯することができ、また、表記されている使用地域により誤認なく所望地域用のアンテナを携帯することができる。
【００１３】
また、請求項４記載の発明に係る時刻データ受信装置にあっては、前記アンテナはその種別毎に長さの異なる端子を有し、前記識別手段は、前記アンテナ取付部に取り付けられる前記端子の長さの相違に基づき、前記アンテナを識別する。したがって、簡単な構造でありながら、精度よく取り付けられたアンテナを識別することができる。
【００１４】
また、請求項５記載の発明に係る時刻データ受信装置にあっては、前記アンテナは径の異なる一対の端子を有し、前記アンテナ取付部は、前記各端子が差し込まれる一対の穴部を有し、この一対の穴部は差し込まれる前記各端子の径に対応する径を有する。したがって、各端子は対応する穴部にのみ差し込むことが可能となり、これにより所謂逆入れが防止される。
【発明の効果】
【００１５】
以上のように本発明によれば、ユーザは自己が必要とする地域のアンテナのみを入手すればよいのであるから、ユーザにコスト的なデメリット与えることなく、所望地域の時刻コードを含む電波を受信して時刻修正を行うことができる。また、時刻データ受信装置には、容量の異なるコンデンサを多数内蔵したり、巻き数の異なるコイルを多数内蔵する必要はなく、しかも、時刻データ受信装置自体にはアンテナが存在しないことから、実装面積が小さくしかつ回路規模も小さくすることができ、これにより装置の小型化を図ることができる。
【発明を実施するための最良の形態】
【００１６】
以下、本発明の一実施の形態を図に従って説明する。
（第１の実施の形態）
本実施の形態は、本発明を腕時計に適用したものであり、図１は、本発明の実施の形態に係る腕時計１０と、この腕時計１０に選択的に装着される第１アンテナユニット５０及び第２アンテナユニット６０の外観図である。図に示すように、この腕時計１０は、時計本体１１と、この時計本体１１の両端部に係止されたリストバンド（図示せず）とで構成されている。時計本体１１には、その上面にＬＣＤ表示パネル１２が設けられ、左右側面及び上面に押釦スイッチ１３〜１７が設けられている。また、時計本体１１の上部側面には、一対のコンタクト穴部１８、１９が設けられており、一方のコンタクト穴部１８は他方のコンタクト穴部１９よりも大径に形成されている。
【００１７】
前記両アンテナユニット５０、６０は、同一形状のアンテナケース５１、６１を有し、アンテナケース５１、６１の内部には異なる周波数（例えば、第１アンテナユニット５０は４０ＫＨｚ、第２アンテナユニット６０は６０ＫＨｚ）の電波を受信するバーアンテナ（図示せず）が内蔵されている。また、各アンテナケース５１、６１には、当該アンテナの使用国とその使用地域（「ＪＡＰＡＮ（ＦＵＫＵＳＩＭＡ）」、「Ｕ．Ｓ．Ａ（・・・）」）が表記されているともに、前記バーアンテナに接続された一対の端子５２、５３、６２、６３が突設されている。
【００１８】
これら端子５２、５３、６２、６３において、一方側の端子５２、６２は前記一方のコンタクト穴部１８に内嵌し得る大径に形成され、他方の端子５３、６３は前記他方のコンタクト穴部１９に内嵌し得る小径に形成され、これにより、所謂逆入れが防止されるようになっている。
【００１９】
一方、図２に示すように、前記コンタクト穴部１８、１９の近傍には、その深さ方向にアンテナ接続用接触子２０と、アンテナ判別用接触子２１、２２とを有するアンテナ検出部２３が設けられており、これら各端子２１、２２、２３の先端部は、コンタクト穴部１８、１９内に突出している。そして、コンタクト穴部１８、１９内に挿入した場合に、前記第１アンテナユニット５０の端子５２、５３は、接触子２０、２１と接触し得る長さに設定され、前記第２アンテナユニット６０の端子６２、６３は、これよりも長く接触子２０、２１、２２に接触し得る長さに設定されている。つまり、端子５２、５３、６２、６３がアンテナ判別用接触子２１、２２のうち、接触子２１のみに接触しているか、接触子２１と２２とに接触しているかの検出信号がＣＰＵ２５に入力されることにより、時計本体１１に装着されたアンテナユニットが第１アンテナユニット５０と第２アンテナユニット６０のいずれであるかが検出できるように構成されている。
【００２０】
なお、このアンテナ検出部２３は、両方のコンタクト穴部１８、１９に設けてもよく、また一方のコンタクト穴部１８のみに設けて、他方のコンタクト穴部１９には、アンテナ接続用接触子２０のみを設けるようにしてもよい。
【００２１】
図３は、腕時計１０の回路構成を示すブロック図である。このブロック図において、ＲＯＭ２４には後述するフローチャートに示すプログラム等が格納されており、ＣＰＵ２５はこのプログラム等に従って処理を実行することにより、各部を制御する。ＲＡＭ２６は、ＣＰＵ２５のワークエリアとして使用されるとともに、時計本体１１に装着されたアンテナユニット５０、６０種別等の各種データを一時記憶する。受信回路２７は、前記アンテナ検出部２３に接続され、受信周波数を第１アンテナユニット５０用の周波数（４０ＫＨｚ）と、第２アンテナユニット６０用の周波数（６０ＫＨｚ）とに切り替える機能を有し、装着されたいずれかのアンテナユニット５０、６０で受信された長波標準時刻電波の受信処理を行う。
【００２２】
表示部２８は、ＬＣＤ表示パネル１２とこれを駆動するドライバ等で構成され、ＣＰＵ２５により制御されて時刻等をＬＣＤ表示パネル１２表示させる。押釦スイッチ部２９は、前記押釦スイッチ１３〜１７とこれらスイッチ１３〜１７の操作に応じた信号をＣＰＵ２５に出力する信号出力部とで構成されている。発振回路３０は、所定周波数のクロック信号を生成し、分周回路３１はこれを分周し、時計計数回路３２は、この分周されたクロック信号に基づき現在時刻を計数し、ＣＰＵ２５に供給する。
【００２３】
以上の構成からなる本実施の形態において、ＣＰＵ２５は前記プログラムに基づき図５のフローチャートに示す制御を実行する。すなわち、時計計数回路３２が計数している現在時刻に基づき、午前３時となったか否かを判断する（ステップＳ１）。午前３時となっていない場合には、アンテナ検出部２３からの前記検出信号に基づきアンテナ判別処理を行って、時計本体１１に装着されているアンテナユニットを判別する（ステップＳ２）。
【００２４】
さらに、この判別したアンテナ種別と、後述するステップＳ６でＲＡＭ２６に記憶されたアンテナ種別とを比較することにより、アンテナユニットが交換されたか否かを判断する（ステップＳ３）。アンテナが交換されていない場合には、スイッチ処理（ステップＳ１４）、及び表示処理（ステップＳ１５）を実行する。そして、スイッチ処理（ステップＳ１５）では、押釦スイッチ部２９を構成する各種押釦スイッチ１３〜１７の操作に対応する処理を行い、表示処理（ステップＳ１５）では時計計数回路３２が計数している現在時刻に基づき、表示部２８を制御する。これにより、ＬＣＤ表示パネル１２には、時計計数回路３２が計数している現在時刻が常時表示される。また、アンテナが交換された場合には、交換により新たに装着されたアンテナユニットの種別をＲＡＭ２６に記憶させる（ステップＳ６）。
【００２５】
他方、午前３時となった場合にも（ステップＳ１；ＹＥＳ）、前述と同様のアンテナ判別（ステップＳ４）、及びアンテナが交換されたか否かの判断（ステップＳ５）を行い、アンテナの交換がなかった場合にはステップＳ６、Ｓ７の処理を行うことなく、ステップＳ８に進む。しかし、アンテナの交換があった場合には、前述と同様に、交換により新たに装着されたアンテナユニットの種別をＲＡＭ２６に記憶させる（ステップＳ６）。さらに、この記憶させたアンテナユニットの種別に応じて受信回路２７の受信周波数を切り替える（ステップＳ７）。しかる後に、電波受信処理を行って、装着されているアンテナユニットで受信した長波標準電波を、アンテナ検出部２３及び受信回路２７を介して取り込む（ステップＳ８）。すなわち、例えば我が国（日本）では、２つの送信所（福島県及び佐賀県）より、所定のフォーマットのタイムコードで振幅変調した４０ｋＨｚ及び６０ｋＨｚの長波標準電波が送出されている。したがって、ステップＳ３でのはこの長波標準電波を受信させ、さらに受信が成功したか否かを判断する（ステップＳ９）。そして、受信が成功した場合には、受信した長波標準電波に含まれているタイムコードに基づき、時計計数回路３２が計数している現在時刻を修正する（ステップＳ１３）。
【００２６】
しかし、受信が不成功であった場合には（ステップＳ９；ＮＯ）、時計計数回路３２で計数時間に基づき、アンテナユニットを交換してから所定微少時間内であって、アンテナユニットの交換直後であるか否かを判断する（ステップＳ１０）。交換直後であるならば、交換前に装着されていた地域用のアンテナユニットと交換後に装着された地域用のアンテナユニットとの地域間で時差があるか否かに基づき、時差修正の要があるか否かを判断する（ステップＳ１１）。そして、交換前に装着されていた地域用のアンテナユニットと交換後に装着された地域用のアンテナユニットとの地域間で時差がある場合には、時差修正の要あると判断し、時計計数回路３２の現在時刻を当該時差分修正する（ステップＳ１２）。
【００２７】
すなわち、本実施の形態においては、午前３時に定期的に長波標準電波を受信するのみならず、時計本体１１に装着するアンテナユニットが交換された場合も長波標準電波を受信し、このとき受信が不成功である場合には、交換直後に、交換前に装着されていた地域用のアンテナユニットと交換後に装着された地域用のアンテナユニットとの地域間で時差分をもって、時計計数回路３２の現在時刻を修正する。したがって、長波標準電波の受信が不成功で、タイムコードに基づき時計計数回路３２の現在時刻を修正することが不可能な場合であっても、時差分で修正されることにより、ユーザが現在位置する地域でほぼ正確な現在時刻に修正することができる。
【００２８】
なお、本実施の形態においては、２種類のアンテナユニット５０、６０のみを示し、これを選択的に用いる場合を示したが、より多種類のアンテナユニットを用い得ることは勿論である。この場合、アンテナユニットごとに端子の長さを異ならせ、かつ、コンタクト穴部１８、１９に配置するアンテナ検出部２３のアンテナ判別用接触子２１、２２の数を増加させることにより、アンテナ判別を行うことができる。さらに、各アンテナユニットの一方の端子の長さと他方の端子の長さを異ならせれば、より多種類のアンテナユニットを識別することも可能となる。
【００２９】
（第２の実施の形態）
【００３０】
図５〜図７は、本発明の第２の実施の形態を示すものである。図５に示すように、本実施の形態に係る腕時計７０は、時計本体７１と、この時計本体７１の両端部に係止されたリストバンド（図示せず）とで構成されている。時計本体７１は、平面視において円形の時計ケース７２とこの時計ケース７２の上面に周部に回転自在に設けられた回転ベゼル７３とを有し、時計ケース７２の上面中央部にはＬＣＤ表示パネル７４が配置されている。
【００３１】
回転ベゼル７３の下面側であって１２時側と６時側には、異なる周波数（例えば、４０ＫＨｚと６０ＫＨｚ）の電波を受信する第１アンテナ７５と第２アンテナ７６とが固定されている。この両アンテナ７５、７６は、図６に示すように、コア７７とこのコア７７に巻装された巻線７８とから構成され、回転ベゼル７３に設けられた空間部７９内に収容配置されている。また、回転ベゼル７３には、空間部７９内に突出するとともに下方に突出する端子８０、８１が設けられており、各アンテナ７５、７６はこれら各端子８０、８１に接続されるとともに、各端子８０、８１間で挾持固定されている。
【００３２】
一方、前記時計ケース７２には、回転ベゼル７３とともに一体的に回転する各アンテナ７５、７６が所定の位置に到来した場合（アンテナの中心が１２時の位置に到来した場合）に、前記端子８０、８１に接触する一対の接触子８２、８３が設けられている。この接触子８２、８３は上下方向に微動可能であって、導電体からなるスプリング８４、８５により上方に付勢されているとともに、時計ケース７２内に配置された回路基板８６に接続されている。
【００３３】
また、時計ケース７２には、図５に示したように、回転ベゼル７３の下部であって９時側に第１スイッチ８７が配置され、３時側に第２スイッチ８８が配置されている。この両スイッチ８７、８８は、同一の構成であって、図７に示すように、時計ケース７２に挿通され上下動可能な可動子８９と、回路基板８６上に配置された可動接点９０及び固定接点９１とで構成され、可動子８９の周部にはパッキン９２が配置されている。可動接点９０は弾性を有し、図７（Ｂ）に示したオフの状態では、その先端部が固定接点９１に接触することなく、かつ、可動子８９を上方に所定量押し出す。また、図７（Ａ）に示したＯＮの状態では、可動子８９により押圧されることにより弾性変形して、その先端部が固定接点９１に接触し得る。
【００３４】
さらに、回転ベゼル７３の下面側には、図７（Ａ）に示したように、可動子８９の上端面に圧接してこれを下動させ、スイッチオンにする突起９３が設けられている。この突起９３は、図５に示したように、第１アンテナ７５の中心が１２時の位置にある状態で、この第１アンテナ７５に対応する第１スイッチ８７上に位置して、図７（Ａ）に示したように、第１スイッチ８７をオンにし得る位置に設けられている。
【００３５】
以上の構成にかかる本実施の形態において、図５に示したように、第１アンテナ７５の中心が１２時の位置になるように回転ベゼル７３を回転操作すると、第１スイッチ８７がオンとなるとともに（図７（Ａ））、第１アンテナ７５の各端子８０、８１が接触子８２、８３と接触する（図６）。また、第２アンテナ７６の中心が１２時の位置になるように回転ベゼル７３を回転操作すると、第２スイッチ８８がオンとなるとともに、第２アンテナ７６の各端子８０、８１が接触子８２、８３と接触する（図６）。
【００３６】
したがって、第１スイッチ８７と第２スイッチ８８のいずれがオンとなったかにより、選択されて接触子８２、８３、及びスプリング８４、８５を介して回路基板８６に接続されたアンテナが第１及び第２のいずれであるかを判別することができる。よって、回路基板８６に図３に示した回路を設けて、ＣＰＵ２５が図４のフローチャートに示した処理を実行することにより、第１の実施の形態と同様の作用効果を奏する。
【００３７】
なお、本実施の形態においては、第１及び第２アンテナ７５、７６のみを設けるようにしたが、より多数のアンテナを設けるようにしてもよい。
また、アンテナ種別の識別は、各実施の形態に示したようにアンテナ判別用接触子２１、２２や第１スイッチ８７と第２スイッチ８８のように接触によることなく、接続されたアンテナのインピーダンスを検出して、識別するようにしてもよい。
【図面の簡単な説明】
【００３８】
【図１】（Ａ）は本発明の第１の形態に係る腕時計のアンテナユニットを装着した状態の外観図、（Ｂ）はアンテナユニットを離脱させた状態の外観図、（Ｃ）はアンテナユニット単体の外観図である。
【図２】同実施の形態におけるアンテナ検出部と端子の接触状態を示す断面図である。
【図３】同実施の形態に係る腕時計の回路構成を示すブロック図である。
【図４】同実施の形態における処理手順を示すフローチャートである。
【図５】本発明の他の実施の形態に係る腕時計の外観図である。
【図６】アンテナと回路基板との接続構成を示す断面図である。
【図７】（Ａ）は図５の状態における第１スイッチの状態を示す断面図、（Ｂ）は第２スイッチの状態を示す断面図である。
【符号の説明】
【００３９】
１０    腕時計
１１    時計本体
１８    コンタクト穴部
１９    コンタクト穴部
２０    アンテナ接続用接触子
２１    アンテナ判別用接触子
２３    アンテナ検出部
２５    ＣＰＵ
２７    受信回路
３２    時計計数回路
５０    第１アンテナユニット
５１    アンテナケース
５２    端子
５３    端子
６０    第２アンテナユニット
６２    端子
６３    端子
【図１】
2005181174.tif 000003
【図２】
2005181174.tif 000004
【図３】
2005181174.tif 000005
【図４】
2005181174.tif 000006
【図５】
2005181174.tif 000007
【図６】
2005181174.tif 000008
【図７】
2005181174.tif 000009